(57)【要約】      （修正有）【課題】取扱いや持運びが容易で、手元の操作で殺虫スプレーの噴射と先端部の角度とを変えられて、確実に蜂の巣に殺虫スプレーを命中させることができる蜂の巣駆除ポールを提供する。【解決手段】主ポール２と、その先端部のヒンジ４で連結され、かつ、スプレー缶保持部を有する先端ポール３と、を備えた蜂の巣駆除ポール１において、前記主ポールが伸縮手段２−１によって複数段に伸縮自在に構成され、また、前記ヒンジが所定の角度まで折曲るとロックが解除されるラチェット機構で、該ヒンジの外角側に前記先端ポールと前記主ポールとを連結した弾性体５と、前記先端ポールに取付けられて主ポールの根元部まで伸びたヒンジ部操作紐９と、を備え、また、前記先端ポールの先端部にスプレーボタン押圧手段６を有し、かつ、該スプレーボタン押圧手段に連結され前記根元部まで伸びたスプレーボタン操作紐８を備えたことを特徴とする。【選択図】図１
0003188587.tif 000002
【実用新案登録請求の範囲】
【請求項１】
主ポールと、該主ポールの先端部にヒンジによって連結され、かつ、スプレー缶保持部を有する先端ポールと、を備えた蜂の巣駆除ポールにおいて、前記主ポールが伸縮手段によって複数段に伸縮自在に構成されており、また、前記ヒンジが所定の角度まで折曲るとロックが解除されるラチェット機構であって、該ヒンジの外角側に前記先端ポールと前記主ポールとを連結した弾性体と、前記先端ポールに取付けられて主ポールの根元部まで伸びたヒンジ部操作紐と、を備え、また、前記先端ポールの先端部にスプレー缶のスプレーボタンを押すスプレーボタン押圧手段を有し、かつ、該スプレーボタン押圧手段に連結され前記根元部まで伸びたスプレーボタン操作紐を備えたことを特徴とする蜂の巣駆除ポール。
【請求項２】
主ポールと、該主ポールの先端部にヒンジによって連結され、かつ、スプレー缶保持部を有する先端ポールと、を備えた蜂の巣駆除ポールにおいて、前記主ポールが伸縮手段によって複数段に伸縮自在に構成されており、また、前記ヒンジが所定の角度まで伸びるとロックが解除されるラチェット機構であって、該ヒンジの内角側に前記先端ポールと前記主ポールとを連結した弾性体と、前記先端ポールに取付けられて、かつ、該ヒンジの外角側に備えたガイドを通して主ポールの根元部まで伸びたヒンジ部操作紐と、を備え、また、前記先端ポールの先端部にスプレー缶のスプレーボタンを押すスプレーボタン押圧手段を有し、かつ、該スプレーボタン押圧手段に連結され前記根元部まで伸びたスプレーボタン操作紐を備えたことを特徴とする蜂の巣駆除ポール。
【請求項３】
前記主ポールの根元部に前記ヒンジ部操作紐を巻取るヒンジ部操作紐巻取り装置を備えたことを特徴とする請求項１又は２に記載の蜂の巣駆除ポール。
【請求項４】
前記主ポールの根元部に前記スプレーボタン操作紐を巻取るスプレーボタン操作紐巻取り装置を備えたことを特徴とする請求項１又は２又は３に記載の蜂の巣駆除ポール。
【考案の詳細な説明】
【技術分野】
【０００１】
本考案は、高所にできた蜂の巣を、蜂用の殺虫スプレー缶を先端部に取り付けたポールを、地上から伸ばして蜂の巣に接近させて、さらに遠隔操作で、狙いを定めて殺虫剤を噴出させることで、蜂を駆除することができる蜂の巣駆除ポール関するものである。
【背景技術】
【０００２】
蜂の巣は、しばしば、家屋の軒下に作られてしまうことがあり、その場合、脚立や梯子に乗って蜂の巣に直接殺虫スプレーをかけるのが、手軽であり、一般的であった。
【０００３】
しかし、直接、殺虫スプレーを噴出するために、脚立等で高所作業をすれば、転落する危険性があった。特に、蜂からの反撃を受け、その反撃に驚いたり、反撃を避けようとして誤って転落するおそれがあった。
【０００４】
そこで、従来から、棒の先端に殺虫スプレー缶を取り付けることが考案されてきた。その一例として、棒の先端に殺虫スプレー缶を取り付けて、手元で遠隔操作することによって、離れた位置から殺虫スプレーを噴霧することができる噴霧用竿が先行技術として開示されている（文献１）。
【先行技術文献】
【特許文献】
【０００５】
【特許文献１】特開２０００−１５１５１公報。
【考案の概要】
【考案が解決しようとする課題】
【０００６】
前記先行技術は、棒の先端に殺虫スプレー缶を取り付けて、手元で遠隔操作できるので、脚立に乗らなくても害虫駆除ができる点で優れているが、蜂の巣が二階の軒下や高い木にできている場合には届かないことが多々あり、また、これに対応するために棒を長くすると取扱いが難しくなり、持ち運びにも不便であった。また、先端のヒンジも予め曲げて固定する必要があり、臨機応変に先端部の折曲げ角度を変えれないので、正確に蜂の巣に殺虫剤をかけるのが難しいという問題があった。
【０００７】
そこで、上記の問題を解決するために、伸縮式のポールを用いることによって取扱いや持運びが容易になり、また、手元の操作で、殺虫スプレーを噴射できて、しかも、先端部の角度も変えられるので、確実に蜂の巣に殺虫スプレーを命中させることができる蜂の巣駆除ポールを考案して提供するものである。
【課題を解決するための手段】
【０００８】
本考案の請求項１に係る蜂の巣駆除ポールは、主ポールと、該主ポールの先端部にヒンジによって連結され、かつ、スプレー缶保持部を有する先端ポールと、を備えた蜂の巣駆除ポールにおいて、前記主ポールが伸縮手段によって複数段に伸縮自在に構成されており、また、前記ヒンジが所定の角度まで折曲るとロックが解除されるラチェット機構であって、該ヒンジの外角側に前記先端ポールと前記主ポールとを連結した弾性体と、前記先端ポールに取付けられて主ポールの根元部まで伸びたヒンジ部操作紐と、を備え、また、前記先端ポールの先端部にスプレー缶のスプレーボタンを押すスプレーボタン押圧手段を有し、かつ、該スプレーボタン押圧手段に連結され前記根元部まで伸びたスプレーボタン操作紐を備えたことを特徴とする。
【０００９】
本考案に係る蜂の巣駆除ポールは、複数段に伸縮可能な主ポールと、主ポールの先端に設けられたロック解除ができるラチェット機構を有するヒンジによって一方向にのみ屈折することができる先端ポールと、を備えている。
【００１０】
主ポールは、複数段になっており、伸縮機構によって、伸縮式の物干し竿のように任意の位置まで伸ばして自在に固定できる。主ポールは、２段又は３段のものが、継ぎ手部分が少なくなるので、軽量で駆除作業時に扱いやすく、また、短くコンパクトにできるので、収納や車の荷台に積むことができて移動に便利で好適である。
【００１１】
先端ポールは、側面（折曲げた際には、上面）に、蜂を駆除するためのスプレー缶を保持するスプレー缶保持部を有しており、先端ポールの先端部には、該スプレー缶のスプレーボタンを押す為のスプレーボタン押圧手段を備えている。押圧手段は、スプレーボタン操作紐が連結されていて、そのスプレーボタン操作紐が主ポールの根元部付近まで延長されており、主ポールを把持する手元でスプレーボタン操作紐を引張ると、スプレーボタンを押すことができる。なお、紐から手を離せば、スプレーボタン自身の反力によって、押圧機構は、元の状態に戻る。
【００１２】
また、主ポールと先端ポールを繋いでいるヒンジは、ラチェット機構と、ヒンジの曲がる外角側に前記先端ポールと前記主ポールとを連結した弾性体と、先端ポールに一端が固定され、主ポールの把持部付近まで伸びたヒンジ部操作紐を引張ることと、によって、ヒンジが伸ばした状態から折れる方向にのみ可動して、折れ曲がる角度を調節できて固定できる。そして、所定の角度まで折れ曲がると、ラチェット機構のロックが解除され、操作紐を緩めることによって、ヒンジの外角側の位置に前記先端ポールと前記主ポールとを連結した弾性体が、伸長された状態から収縮しようとするので、ヒンジが真直ぐ伸びた元の状態に戻る。このことによって、手元の操作だけで、殺虫スプレーを確実に狙いを定めて、蜂や蜂の巣に噴射して命中させることができる。
【００１３】
本考案の請求項２に係る蜂の巣駆除ポールは、主ポールと、該主ポールの先端部にヒンジによって連結され、かつ、スプレー缶保持部を有する先端ポールと、を備えた蜂の巣駆除ポールにおいて、前記主ポールが伸縮手段によって複数段に伸縮自在に構成されており、また、前記ヒンジが所定の角度まで伸びるとロックが解除されるラチェット機構であって、該ヒンジの内角側に前記先端ポールと前記主ポールとを連結した弾性体と、前記先端ポールに取付けられて、かつ、該ヒンジの外角側に備えたガイドを通して手元まで伸びたヒンジ部操作紐と、を備え、また、前記先端ポールの先端部にスプレー缶のスプレーボタンを押すスプレーボタン押圧手段を有し、かつ、該スプレーボタン押圧手段に連結され前記根元部まで伸びたスプレーボタン操作紐を備えたことを特徴とする。
【００１４】
この構成を採用することにより、請求項２に係る蜂の巣駆除ポールは、先端ポールに一端が固定されて、かつ、ヒンジの外角側に備えたガイドを通して主ポールの把持部付近にまで伸びたヒンジ部操作紐を引張ることによって、ヒンジの操作に関して請求項１に係る蜂の巣駆除ポールとは逆に、ヒンジは折れ曲がり状態から、まっすぐに伸びる方向にのみ可動できる。そして、所定の角度に伸びたときに、ラチェット機構のロック解除が行われて、弾性体が縮む作用によって元の折れ曲がった状態に戻る。このことによって、手元の操作だけで、殺虫スプレーを確実に狙いを定めて、蜂や蜂の巣に噴射して命中させることができる。
【００１５】
請求項３に係る蜂の巣駆除ポールは、請求項１又は２において、前記主ポールの根元部に前記ヒンジ部操作紐を巻取るヒンジ部操作紐巻取り装置を備えたことを特徴とする。また、請求項４に係る蜂の巣駆除ポールは、請求項１又は２又は３において、前記主ポールの根元部に前記スプレーボタン操作紐を巻取るスプレーボタン操作紐巻取り装置を備えたことを特徴とする。
【００１６】
この構成を採用することにより、主ポールを伸ばす際には、それぞれの巻取り装置からスプレーボタン操作紐やヒンジ部操作紐を引き出していくことができて、主ポールを縮める際には、それぞれの巻取り装置からスプレーボタン操作紐やヒンジ部操作紐を巻き取ることができる。このことによって、それぞれの操作紐が絡むことを防止できるので、紐の絡まりによるトラブルを防止でき、円滑に書ポールの伸縮を可能にすることができる。
【考案の効果】
【００１７】
本考案に係る請求項１から４に記載の蜂の巣駆除ポールよれば、２階の軒下等の高所にある蜂の巣の駆除する際に、脚立等に乗らなくとも、殺虫スプレーを、蜂や蜂の巣に狙いを定めて、確実に命中させることができる。このことによって、高所作業をする必要がなく、また、離れたところから蜂の巣を駆除できるので、蜂の反撃によって、刺されることを防ぐことができて、また、離れた場所で作業できるので、作業員が殺虫剤を浴びたり吸い込んだりせず、蜂の巣駆除作業を安全かつ衛生的ににすることができる。また、本考案の蜂の巣駆除ポールは、機構が簡易であるから製作も容易で製作費用が安くできる。
【図面の簡単な説明】
【００１８】
【図１】図１は、本考案を実施するための形態に係る蜂の巣駆除ポールの模式的斜視図である。
【図２】図２は、本考案を実施するための別の形態に係る蜂の巣駆除ポールの模式的斜視図である。
【図３】図３（ａ）は、本考案を実施するための形態に係る蜂の巣駆除ポールであって、ヒンジ部分の詳細な模式的正面図であり、（ｂ）は、ヒンジ部分の別の形態に係る詳細な模式的正面図である。
【図４】図４（ａ）は、本考案を実施するための形態に係る蜂の巣駆除ポールであって、スプレーボタン部分の詳細な模式的正面図であり、（ｂ）は、スプレーボタン部分の別の形態に係る詳細な模式的正面図である。
【考案を実施するための形態】
【００１９】
本考案に係る蜂の巣駆除ポール１を実施するための形態について図１、図２、図３（ａ）、図３（ｂ）、図４（ａ）、図４（ｂ）を用いて説明する。図１は、本考案を実施するための形態に係る蜂の巣駆除ポールの模式的斜視図である。図２は、本考案を実施するための別の形態に係る蜂の巣駆除ポールの模式的斜視図である。図３（ａ）は、本考案を実施するための形態に係る蜂の巣駆除ポールであって、ヒンジ部分の詳細な模式的正面図であり、（ｂ）は、ヒンジ部分の別の形態に係る詳細な模式的正面図である。図４（ａ）は、本考案を実施するための形態に係る蜂の巣駆除ポールであって、スプレーボタン部分の詳細な模式的正面図であり、（ｂ）は、スプレーボタン部分の別の形態に係る詳細な模式的正面図である。
【００２０】
本考案に係る蜂の巣駆除ポール１は、複数段に伸縮自在な主ポール２と、主ポール２の先端に設けられ、ロック解除機能を有するラチェット機構を備えたヒンジ４と、ヒンジ４を介して接続し、かつ、スプレー缶のスプレー噴射ボタンを押すスプレーボタン押圧装置６とスプレー缶保持装置７とを有する先端ポール３と、ラチェット機構のロックが解除した際に元の状態に戻す弾性体と、スプレーボタン押圧手段を手元である根元部２ａで操作するスプレーボタン操作紐８と、ヒンジ４を手元で操作するヒンジ部操作紐９と、から構成されている。
【００２１】
主ポール２は、先端部がヒンジ４に接続しており、また、釣竿のように、複数段に伸ばすことができる。そして、主ポール１は、例えば、物干し竿と同じ機構の伸縮装置２−１によって、任意の位置に伸ばして固定できる。主ポールは、プラスチックやアルミニウム製でできており、１本当たり１．５〜２．５ｍで、それを２〜３本継いだものが、スプレー缶が高所まで届き、軽量で取扱いがし易く、また、持運びが便利で、好適である。
【００２２】
先端ポール３は、図１、２に示すように、根元側にヒンジ４が接続しており、先端部にはスプレーボタン押圧装置６が、また、ヒンジ４の下向きの折れ曲がりに対して上向きにスプレー缶を保持するスプレー缶保持装置７を備えている。
【００２３】
ヒンジ４は、主ポール２と先端ポール３とが回動できるように接続しており、ロック解除できるラチェット機構になっている。また、ヒンジ部において、主ポール２に設けられた主ポール側定着部５−１と先端ポール３に設けられた先端ポール側定着部５−２とを結んで、引張る弾性体５が設けられている。ラチェット機構は、図３（ａ）に示すように、真直ぐに伸びた状態から、ヒンジ部操作紐９を手元で引張ることで、先端ポール３に設けられた先端ポール定着部９−２が引張られ、それによって、ヒンジ４が徐々に曲がっていき、所定の角度まで曲がるとロックが解除されて、すると、外角側に設けられた弾性体５の引張力によって、ヒンジ４が、また元の真直ぐに伸びた状態に戻るタイプのものと、図３（ｂ）に示すように、曲がった状態から、ヒンジ部操作紐９を手元で引張ることで、先端ポール定着部９−２が引張られ、それによって、徐々に真直ぐに伸びていって、所定の角度まで伸びるとロックが解除され、内角側に設けられた弾性体５の引張力によって、また元の曲がった状態に戻るタイプのものとがある。なお、ヒンジ部操作紐９を手元で引張ることで、ヒンジ４を徐々に真直ぐに伸ばしていくタイプには、ヒンジ部操作紐９の引張力がロスなく所定の方向に働くように、主ポール部ガイド９−３と先端ポール部ガイド９−４を設けるのがよい。また、ヒンジ部操作紐９を手元で引張ることでヒンジ４を徐々に曲がっていくタイプには、先端ポール定着部９−２はヒンジ４の内角側に設けるのが好適である。また、弾性体５はバネやゴムを用いるのが好適である。
【００２４】
スプレーボタン押圧装置６は、一例として、図４（ａ）に示すように、殺虫スプレー缶１０のスプレーボタン１０−１を押すスプレーボタン押圧部６−１（作用点）と、スプレーボタン操作紐８を手元で引張ることによって、その引張力が働くスプレーボタン操作紐定着部６−３（力点）と、支点６−２と、それらを結ぶバー６−４（腕）と、からなる。よって、スプレーボタン操作紐８を手元で引張ることによって、スプレーボタン操作紐定着部６−３が、図面において右（左回り）に動き、それによって、スプレーボタン押圧部６−１も、右（左回り）に動いて殺虫スプレー缶１０のスプレーボタン１０−１を押すので、殺虫剤を噴射することができる。そして、スプレーボタン操作紐８から手を離すと、スプレーボタン１０−１にかかる押圧力がなくなり、スプレーボタン１０−１の復元する力によって、スプレーの噴射は止まり、バー６−４は、左（右回り）に動いて元の状態に戻る。なお、支点６−２には、ストッパーを設けてあるので、バー６−４は、所定の角度より右には回らない。
【００２５】
また、スプレーボタン押圧装置６の別の一例として、図４（ｂ）に示すように、スプレーボタン操作紐８を手元で引張ることによって、スプレーボタン操作紐定着部６−３が、図面において右に動く。支点６−２−１には、スプレー缶１０に平行に先端ポール３に設けられたガイド内を摺動するので、スプレーボタン押圧装置６全体がほぼ平行に右に動く。よって、スプレーボタン押圧部６−１が、殺虫スプレー缶１０のスプレーボタン１０−１を押すことができるので、殺虫剤を噴射することができる。そして、スプレーボタン操作紐８から手を離すと、スプレーボタン１０−１にかかる押圧力がなくなり、スプレーボタン１０−１の復元する力によって、スプレーの噴射は止まり、スプレーボタン押圧装置６全体も平行に左に動いて元の状態に戻る。なお、支点６−２−１には、ストッパーを設けてあるので、スプレーボタン押圧装置６全体は、所定の位置より左には動かない。
【００２６】
スプレー缶保持装置７は、図１、２に示すように、ヒンジ４の外角側に、スプレー缶１０が、先端ポール３に平行になるように設けられている。図４に示すように、スプレー缶１０は、スプレー缶底部押圧バネ７−２の作用で、図において右向きに押されたスプレー缶押圧部７−１によって底部を押されるので、スプレーボタン１０−１が、スプレーボタン押圧部６−１に接触する。よって、スプレー缶１０は、底部の外周と頂部を保持できるので、所定の位置に保持することができる。なお、このとき、スプレーボタン押圧部６−１は、前述のストッパーによって、所定の位置より右に動かないので、スプレーボタン１０−１が、スプレーボタン押圧部６−１の反力によって、押し込まれないようにスプレー缶底部押圧バネ７−２の力を調整する。
【００２７】
図１、２に示すように、スプレーボタン操作紐８は、スプレーボタン操作紐定着部６−３から、先端ポール３と、主ポール２の内部を通り、根元部２ａで外に出てきて、スプレーボタン操作紐巻き取り装置８−１によってその端部を巻き取られている。これによって、主ポール２の伸縮装置２−１を伸縮させても、スプレーボタン操作紐８が余って絡まったりすることを防止できる。また、ヒンジ部操作紐９は、先端ポール３に設けられた先端ポール定着部９−２から、外を通って、主ポール３の根元部２ａに設けられたヒンジ部操作紐巻き取り装置９−１によって端部を巻き取られている。これによって、主ポール２の伸縮装置２−１を伸縮させても、また、ヒンジ４を屈伸させても、ヒンジ部操作紐９が余って絡まったりすることを防止できる。なお、スプレーボタン操作紐８は、釣竿のガイドのようなものを、主ポール２及び先端ポール３につけて、外部を通してもよい。また、スプレーボタン操作紐８は、ポールの内部に通す場合でも、ヒンジ４に関しては、図３に示すように、外部を通してもよい。また、スプレーボタン操作紐８及びヒンジ部操作紐９は、タコ糸やナイロン糸を用いるのが好適である。
【００２８】
次に、本考案に係る蜂の巣駆除ポール１の使用方法の一例を説明する。図１に示すように、まず、ヒンジ４を伸ばした状態で、スプレーボタン操作紐８とヒンジ部操作紐９とを、それぞれスプレーボタン操作紐巻き取り装置８−１及びヒンジ部操作紐巻き取り装置９−１からある程度の長さを取り出して、主ポール２を人力で伸縮装置２−１を働かせて、所定の長さまで伸ばして固定する。次に、余っているスプレーボタン操作紐８とヒンジ部操作紐９を、それぞれ、スプレーボタン操作紐巻き取り装置８−１及びヒンジ部操作紐巻き取り装置９−１に巻き取って、操作紐８、９が絡むのを防止する。そして、ヒンジ部操作紐９を、ヒンジ部操作紐巻き取り装置９−１の前で引張り、徐々にヒンジ４を曲げていって、スプレー缶１０の噴射角度を合わせ、軒下の蜂の巣に狙いを定める。続いて、スプレーボタン操作紐８をスプレーボタン操作紐巻き取り装置８−１の前で引張り、スプレー缶１０から、殺虫剤を噴射させて蜂の巣の中や周辺にいる蜂を駆除する。なお、ヒンジ部操作紐９を引張りすぎて、狙いが外れれば、最後まで引張ることによってヒンジ４のラチェット機構のロックが解除されて弾性体５の引張力によって、元のヒンジ４が伸ばした状態に戻るので、再度、ヒンジ部操作紐９を引張って狙いを定め直すことができる。
【００２９】
また、本考案に係る蜂の巣駆除ポール１の使用方法の別の一例を説明する。図２に示すように、まず、ヒンジ４を曲げた状態で、スプレーボタン操作紐８とヒンジ部操作紐９とを、それぞれスプレーボタン操作紐巻き取り装置８−１及びヒンジ部操作紐巻き取り装置９−１からある程度の長さを取り出して、主ポール２を人力で伸縮装置２−１を働かせて、所定の長さまで伸ばして固定する。次に、余っているスプレーボタン操作紐８とヒンジ部操作紐９を、それぞれ、スプレーボタン操作紐巻き取り装置８−１及びヒンジ部操作紐巻き取り装置９−１に巻き取って、操作紐８、９が絡むのを防止する。そして、ヒンジ部操作紐９を、ヒンジ部操作紐巻き取り装置９−１の前で引張り、徐々にヒンジ４を伸ばしていって、スプレー缶１０の噴射角度を合わせて、軒下の蜂の巣に狙いを定める。続いて、スプレーボタン操作紐８をスプレーボタン操作紐巻き取り装置８−１の前で引張り、スプレー缶１０から、殺虫剤を噴射させて蜂の巣の中や周辺にいる蜂を駆除する。なお、ヒンジ部操作紐９を引張りすぎて、狙いが外れれば、最後まで引張ることによってヒンジ４のラチェット機構のロックが解除されて弾性体５の引張力によって、元のヒンジ４が曲げた状態に戻るので、再度、ヒンジ部操作紐９を引張って狙いを定め直すことができる。
【産業上の利用可能性】
【００３０】
殺虫や塗装等に用いられるスプレー缶を高所で使用する分野で広く利用できる。
【符号の説明】
【００３１】
１：蜂の巣駆除ポール
２：主ポール                          ２−１：伸縮装置
２ａ：根元部
３：先端ポール
４：ヒンジ
５：弾性体                          ５−１：主ポール側定着部    
５−２：先端ポール側定着部
６：スプレーボタン押圧装置          ６−１：スプレーボタン押圧部
６−２：支点                        ６−２−１：支点    
６−３：スプレーボタン操作紐定着部  ６−４：バー
７：スプレー缶保持装置              ７−１：スプレー缶押圧部
７−２：スプレー缶底部押圧バネ
８：スプレーボタン操作紐              
８−１：スプレーボタン操作紐巻き取り装置
９：ヒンジ部操作紐                  ９−１：ヒンジ部操作紐巻き取り装置
９−２：先端ポール定着部            ９−３：主ポール部ガイド
９−４：先端ポール部ガイド
１０：殺虫スプレー缶                １０−１：スプレーボタン
【図１】
0003188587.tif 000003
【図２】
0003188587.tif 000004
【図３】
0003188587.tif 000005
【図４】
0003188587.tif 000006